(57)【要約】【課題】  すわりもよく、且つ取り扱いも問題なく、製造コストも抑えることができる、ペット用食器を提供する。【解決手段】  ペットフードを入れるトレイ状の収容部２と、この収容部２を取り囲むように構成した外壁部３とを備え、この外壁部３下縁廻りの適所に、手掛りとしての半円弧状の切欠部４を、二か所、形成する。  前記外壁部３は、前記収容部２の頂部２Ｔ周縁部と一体で繋がっており、外形が断面台形状のもので、外壁部３内側面と前記収容部２の裏面とには、空間Ｓがある。【選択図】              図３
2005295949.tif 000002
【特許請求の範囲】
【請求項１】
ペット用飲料およびフードを入れるトレイ状の収容部と、この収容部を取り囲むように構成した外壁部とを備え、この外壁部下縁廻りの適所に、手掛りとしての切欠部を形成したことを特徴とするペット用食器。
【請求項２】
前記収容部と外壁部とは一体構成し、外壁部内側面と前記収容部の裏面との間に空間を生じさせる構成としたことを特徴とする請求項１記載のペット用食器。
【発明の詳細な説明】
【技術分野】
【０００１】
本発明は、ペット用食器に関し、特に、取り扱い性の向上を図った、ペット用食器に関するものである。
【背景技術】
【０００２】
従来、ペットフードを入れる食器としては、通常の陶器製のどんぶりや、アルミなどの金属製ボールが用いられてきた。
しかしながら、これらの器は、必ずしもすわりのいいものではなかった。そのため、ペットフードを入れすぎたりすると、ペットは足で器を引っ繰り返してペットフードをこぼしてしまうことがよくあった。
そこで、ペット専用の器として、例えば、
【特許文献１】実願平９−８７７１号公報  ここでのペット用食器では、ペットフード入れである内器体と内器体を外周側から支えるようにした外器体とを分離できるように構成したものである。外器体は、下側外周縁が上側外周縁の径に比較して大きい径の形状として、簡単には、引っ繰り返らないようになっている。
【発明の開示】
【発明が解決しようとする課題】
【０００３】
しかしながら、すわりはよくなった反面、外器体は、下側外周縁が地面などに接地してしまうため、持ち上げるときなど、外器体には手掛りとすべきものがないので、持ち上げにくく取り扱いが不便であった。そのために、フード入れである内器体と外器体とを分離して、内器体を支える外器体の上側外周縁や、内器体の周縁部適所に指掛け用の凹所を設けている。
このように、すわりはよくなったものの、持ち運びなどに支障があり、外器体と内器体とを分離して構成するなど、一体で構成する構成のものに比較して、製造がめんどうになり、製造コストが上昇する。
本発明は、このような不都合を改善するために提案されたものであって、すわりもよく、且つ取り扱いも問題なく、製造コストも抑えることができる、ペット用食器を提供することを目的とする。
【課題を解決するための手段】
【０００４】
前記した課題を達成するために、本発明では、請求項１において、ペット用飲料およびフードを入れるトレイ状の収容部と、この収容部を取り囲むように構成した外壁部とを備え、この外壁部下縁廻りの適所に、手掛りとしての切欠部を形成したペット用食器を提案する。
また本発明では、請求項２において、前記収容部と外壁部とは一体構成し、外壁部内側面と前記収容部の裏面との間に空間を生じさせる構成としたペット用食器を提案する。
【発明の効果】
【０００５】
すわりもよく、且つ取り扱いも問題なく、製造コストも抑えることができる、ペット用食器を提供することができる。
【０００６】
請求項１によれば、持ち上げるときは、収容部外壁部下縁廻りの適所の切欠部から手指を入れて、収容部外壁部下縁廻りを掴む。
【０００７】
請求項２によれば、前記収容部と外壁部とを一体で構成したので、簡単に製造することができ、外壁部内側面と前記収容部の裏面との間に空間があるため、重量を軽減させることができる。
【発明を実施するための最良の形態】
【０００８】
以下、本発明にかかるペット用食器について、一つの実施の形態を挙げ、添付の図面に基づいて説明する。
図１にペット用食器１を示し、このペット用食器１は、ペットフードを入れるトレイ状の収容部２と、この収容部２を取り囲むように構成した外壁部３とを備え、この外壁部３下縁廻りの適所に、手掛りとしての切欠部４を形成する構成としている。
【０００９】
前記ペット用食器１は、例えば陶器で構成することができ、実質的には外形が円形のトレイである。勿論、ペット用食器１は、陶器の他、磁器も可能であるし、合成樹脂、ステンレス、アルミなどの金属も可能である。
【００１０】
前記収容部２は、底部２Ｂが平らで頂部２Ｔ周縁部の径に比較して底部内径を小とした形状としている。
【００１１】
前記外壁部３は、前記収容部２の頂部２Ｔ周縁部と一体で繋がっており、外形が断面台形状のものである。高さ寸法は前記収容部２の深さより大きく設定している。すなわち、前記外壁部３下端側周縁部の径は、前記収容部２の頂部２Ｔ周縁部との連結箇所である上部側周縁部の径に比較として大としており、外壁部３の外側面は、傾斜面としている。また、前記外壁部３下端側周縁部は、床面（または地面）に接地するようにしている。
そして、外壁部３内側面と前記収容部２の裏面とには、空間Ｓがあり、さらに、収容部２の底部２Ｂ外側下面と地面間とは所定間隔開けている（図２、図３参照）。
【００１２】
次に、前記外壁部３下端側周縁部には、手掛りとしての切欠部４を例えば二か所形成している。勿論、二か所に限らず、一か所でも三か所でもよい。
この切欠部４は、例えば半円弧状に開口しており、大きさは少なくとも指一本挿通可能な寸法でよい。なお、切欠部４の形状は、半円弧状に限らず、適宜である。
【００１３】
以上のようなペット用食器１を、例えば室内において床面におけば、外壁部３の高さ寸法を収容部２の深さより大きく設定しているので、外壁部３下端側周縁部が、床面に接地する。
次いで、前記収容部２にペットフードや飲み水を入れ、ペットに与えると、ペットはペット用食器１に走り寄って、ペットフードを食べたり、飲み水を飲んだりすることができる。
このとき、ペットは足などで、外壁部３等を蹴ったり、収容部２の頂部２Ｔ周縁部を引っ掛けたりしても、外壁部３は、外形が断面台形状であり、外壁部３下端側周縁部が、床面に接地しているので、簡単には引っ繰り返ることはない。
【００１４】
そして、ペットがペットフードを食べ終わったら、ペット用食器１を持ち上げて、蛇口等のある洗い場に持っていく際、飼い主は、外壁部３下端側周縁部の切欠部４に手指を差し込んで、ペット用食器１を略水平状態で傾けることなく簡単に持ち上げることができる（図３参照）。従って、収容部２に飲み残しの飲み水があるような場合でも、ペット用食器１を傾けることなく持ち運ぶことができるので、途中でこぼして、じゅうたん等をよごすようなことは避けることができる。
なお、このペット用食器１は陶器製のものであっても、外壁部３内側面と前記収容部２の裏面とには、空間Ｓがあり、比較的軽量にできており、且つ掴みやすい。、手を滑らせてペット用食器１を落として壊すようなこともない。
【００１５】
以上のように、前記ペット用食器１は、収容部２と外壁部３とを一体で構成したので、簡単に製造することができ、外壁部３内側面と前記収容部２裏面との間に空間Ｓがあるため、重量を軽減させることができ、取り扱い性がよい。
【図面の簡単な説明】
【００１６】
【図１】本発明にかかるペット用食器の一つの実施態様を示す斜視説明図である。
【図２】図１に示すペット用食器の断面説明図である。
【図３】図１に示すペット用食器の下側から見た、斜視説明図である。
【符号の説明】
【００１７】
１                        ペット用食器
２                        収容部
２Ｂ                      底部
２Ｔ                      頂部
３                        外壁部
４                        切欠部
Ｓ                        空間
【図１】
2005295949.tif 000003
【図２】
2005295949.tif 000004
【図３】
2005295949.tif 000005